(57)【要約】【課題】ユーザに対して認証情報を即時に与えることができる。【解決手段】カード２０−１，２０−２は、カード２０−１，２０−２を保持する承認者３０、被承認者４０の認証情報を記憶するカード記憶部と、電界を用いて情報の送受信を行うカード通信部とを備える。認証情報書込装置１０は、電界を用いて、カード２０−１から認証情報を受信する読み取り用アンテナ１２と、電界を用いて、カード２０−２にカード２０−１から受信した認証情報を書き込む書き込み用アンテナ１３とを備える。【選択図】図１
2011090641.tif 000002
【特許請求の範囲】
【請求項１】
電界を電界伝達媒体に誘起し、当該電界を用いて通信を行う認証情報書込装置と電界通信機能が搭載されたデバイスとを備えた電界通信システムであって、
前記電界通信機能が搭載されたデバイスは、
当該電界通信機能が搭載されたデバイスを保持するユーザの認証情報を記憶するデバイス記憶部と、
前記電界を用いて情報の送受信を行うデバイス通信部と、
を備え、
前記認証情報書込装置は、
前記電界を用いて、第１の前記電界通信機能が搭載されたデバイスから前記認証情報を受信する受信部と、
前記電界を用いて、第２の前記電界通信機能が搭載されたデバイスに第１の前記電界通信機能が搭載されたデバイスから受信した前記認証情報を書き込む送信部と、
を備えたことを特徴とする電界通信システム。
【請求項２】
前記認証情報書込装置は、
入力を受け付ける入力部と、
前記入力部が入力を受け付けた場合、前記送信部が前記電界を用いて第２の前記電界通信機能が搭載されたデバイスに前記認証情報を書き込むように制御する制御部と、
を備えたことを特徴とする請求項１に記載の電界通信システム。
【請求項３】
前記入力部は、認証レベルを示す入力を受け付け、
前記制御部は、前記送信部が前記電界を用いて第２の前記電界通信機能が搭載されたデバイスに前記認証レベルを示す入力に応じた前記認証情報を書き込むように制御する
ことを特徴とする請求項２に記載の電界通信システム。
【請求項４】
電界を電界伝達媒体に誘起し、当該電界を用いて通信を行う認証情報書込装置と電界通信機能が搭載されたデバイスとを備えた電界通信システムに含まれる認証情報書込装置であって、
第１の前記電界通信機能が搭載されたデバイスが記憶する認証情報を、前記電界を用いて第１の前記電界通信機能が搭載されたデバイスから受信する受信部と、
前記電界を用いて、第２の前記電界通信機能が搭載されたデバイスに第１の前記電界通信機能が搭載されたデバイスから受信した前記認証情報を書き込む送信部と、
を備えたことを特徴とする認証情報書込装置。
【請求項５】
入力を受け付ける入力部と、
前記入力部が入力を受け付けた場合、前記送信部が前記電界を用いて第２の前記電界通信機能が搭載されたデバイスに前記認証情報を書き込むように制御する制御部と、
を備えたことを特徴とする請求項４に記載の認証情報書込装置。
【請求項６】
前記入力部は、認証レベルを示す入力を受け付け、
前記制御部は、前記送信部が前記電界を用いて第２の前記電界通信機能が搭載されたデバイスに前記認証レベルを示す入力に応じた前記認証情報を書き込むように制御する
ことを特徴とする請求項５に記載の認証情報書込装置。
【発明の詳細な説明】
【技術分野】
【０００１】
本発明は、電界通信システムおよび認証情報書込装置に関する。
【背景技術】
【０００２】
ユーザ（電界伝達媒体）の表面に電界を誘起し、この電界を用いて、ユーザが保持するカードと読み書き装置との間で通信を行う電界通信システムが知られている（例えば、特許文献１参照）。また、ユーザに与えられた認証情報に基づいて、ユーザの入室を認証するシステムが知られている（例えば、特許文献２参照）。
【先行技術文献】
【特許文献】
【０００３】
【特許文献１】特開２００７−１７４５７０号公報
【特許文献２】特開２００６−２８３３８３号公報
【発明の概要】
【発明が解決しようとする課題】
【０００４】
ユーザに与えられた認証情報に基づいてユーザの入室を認証するシステムでは、予め、承認者はユーザに認証情報を与える必要がある。しかしながら、承認者はユーザに対して認証情報を即時に与えることができないという問題がある。
【０００５】
本発明は、上記の事情を考慮してなされたものであり、ユーザに対して認証情報を即時に与えることができる電界通信システムおよび認証情報書込装置を提供することを目的とする。
【課題を解決するための手段】
【０００６】
本発明は、電界を電界伝達媒体に誘起し、当該電界を用いて通信を行う認証情報書込装置と電界通信機能が搭載されたデバイスとを備えた電界通信システムであって、前記電界通信機能が搭載されたデバイスは、当該電界通信機能が搭載されたデバイスを保持するユーザの認証情報を記憶するデバイス記憶部と、前記電界を用いて情報の送受信を行うデバイス通信部と、を備え、前記認証情報書込装置は、前記電界を用いて、第１の前記電界通信機能が搭載されたデバイスから前記認証情報を受信する受信部と、前記電界を用いて、第２の前記電界通信機能が搭載されたデバイスに第１の前記電界通信機能が搭載されたデバイスから受信した前記認証情報を書き込む送信部と、を備えたことを特徴とする電界通信システムである。
【０００７】
この構成によれば、デバイス記憶部は、当該電界通信機能が搭載されたデバイス（例えば、電界通信機能が搭載されたカードや携帯電話など）を保持するユーザの認証情報を記憶する。また、デバイス通信部は、電界を用いて情報の送受信を行う。また、受信部は、電界を用いて、第１の電界通信機能が搭載されたデバイスから認証情報を受信する。また、送信部は、第２の前記電界通信機能が搭載されたデバイスに第１の電界通信機能が搭載されたデバイスから受信した認証情報を書き込む。
【０００８】
これにより、第１の電界通信機能が搭載されたデバイスが記憶する認証情報を第２の電界通信機能が搭載されたデバイスに書き込むことができるため、第２の電界通信機能が搭載されたデバイスを保持するユーザに認証情報を即時に与えることができる。
【０００９】
また、本発明の電界通信システムにおいて、前記認証情報書込装置は、入力を受け付ける入力部と、前記入力部が入力を受け付けた場合、前記送信部が前記電界を用いて第２の前記電界通信機能が搭載されたデバイスに前記認証情報を書き込むように制御する制御部と、を備えたことを特徴とする。
【００１０】
この構成によれば、入力部は入力を受け付ける。また、制御部は、入力部が入力を受け付けた場合、送信部が電界を用いて第２の電界通信機能が搭載されたデバイスに認証情報を書き込むように制御する。
【００１１】
これにより、入力部が入力を受け付けた場合に、第１の電界通信機能が搭載されたデバイスが記憶する認証情報を第２の電界通信機能が搭載されたデバイスに書き込むことができるため、任意のタイミングでユーザに認証情報を与えることができる。
【００１２】
また、本発明の電界通信システムにおいて、前記入力部は、認証レベルを示す入力を受け付け、前記制御部は、前記送信部が前記電界を用いて第２の前記電界通信機能が搭載されたデバイスに前記認証レベルを示す入力に応じた前記認証情報を書き込むように制御することを特徴とする。
【００１３】
この構成によれば、入力部は、認証レベルを示す入力を受け付ける。また、制御部は、送信部が電界を用いて第２の電界通信機能が搭載されたデバイスに認証レベルを示す入力に応じた認証情報を書き込むように制御する。
【００１４】
これにより、入力部が受け付けた認証レベルを示す入力に基づいた認証情報を、送信部は第２の電界通信機能が搭載されたデバイスに書き込むため、任意の認証レベルの認証情報をユーザに与えることができる。
【００１５】
また、本発明は、電界を電界伝達媒体に誘起し、当該電界を用いて通信を行う認証情報書込装置と電界通信機能が搭載されたデバイスとを備えた電界通信システムに含まれる認証情報書込装置であって、第１の前記電界通信機能が搭載されたデバイスが記憶する認証情報を、前記電界を用いて第１の前記電界通信機能が搭載されたデバイスから受信する受信部と、前記電界を用いて、第２の前記電界通信機能が搭載されたデバイスに第１の前記電界通信機能が搭載されたデバイスから受信した前記認証情報を書き込む送信部と、を備えたことを特徴とする認証情報書込装置である。
【００１６】
また、本発明は、入力を受け付ける入力部と、前記入力部が入力を受け付けた場合、前記送信部が前記電界を用いて第２の前記電界通信機能が搭載されたデバイスに前記認証情報を書き込むように制御する制御部と、を備えたことを特徴とする認証情報書込装置である。
【００１７】
また、本発明の認証情報書込装置において、前記入力部は、認証レベルを示す入力を受け付け、前記制御部は、前記送信部が前記電界を用いて第２の前記電界通信機能が搭載されたデバイスに前記認証レベルを示す入力に応じた前記認証情報を書き込むように制御することを特徴とする。
【発明の効果】
【００１８】
本発明によれば、ユーザに対して認証情報を即時に与えることができる。
【図面の簡単な説明】
【００１９】
【図１】本発明の第１の実施形態における電界通信システムの構成を示した概略図である。
【図２】本発明の第１の実施形態における認証情報書込装置の構成を示した機能ブロック図である。
【図３】本発明の第１の実施形態におけるカードの構成を示した機能ブロック図である。
【図４】本発明の第１の実施形態における認証情報書込装置の動作手順を示したフローチャートである。
【図５】本発明の第１の実施形態におけるセキュリティシステムの概略を示した概略図である。
【図６】本発明の第２の実施形態における電界通信システムの構成を示した概略図である。
【図７】本発明の第２の実施形態における認証情報書込装置の動作手順を示したフローチャートである。
【発明を実施するための形態】
【００２０】
（第１の実施形態）
以下、図面を参照して本発明の第１の実施形態について説明する。図１は、本実施形態における電界通信システムの構成を示した概略図である。
【００２１】
図示する例では、電界通信システムは、認証情報書込装置１０と、カード２０−１，２０−２とを含んでいる。カード２０−１（第１の電界通信機能が搭載されたデバイス）は、認証情報を記憶しており、承認者３０（ユーザ、電界伝達媒体）に保持されている。また、カード２０−２（第２の電界通信機能が搭載されたデバイス）は、被承認者４０（ユーザ、電界伝達媒体）に保持されている。
【００２２】
認証情報書込装置１０は、読み取り用アンテナ１２（受信部）と、書き込み用アンテナ１３（送信部）と、入力部１４とを備えている。読み取り用アンテナ１２は、電界伝達媒体である承認者３０の表面に電界を誘起し、当該電界を用いてカード２０−１と通信を行う。書き込み用アンテナ１３は、電界伝達媒体である被承認者４０の表面に電界を誘起し、当該電界を用いてカード２０−２と通信を行う。入力部１４はスイッチ１４０を備え、スイッチ１４０の押下による入力を受け付ける。
【００２３】
承認者３０は、被承認者４０に認証情報を与える場合、認証情報書込装置１０の読み取り用アンテナ１２を保持する。そして、承認者３０は、認証情報書込装置１０の入力部１４が備えるスイッチ１４０を押下しつつ、書き込み用アンテナ１３を被承認者４０に接触させる。
【００２４】
この動作により、認証情報書込装置１０は、読み取り用アンテナ１２を介して承認者３０が保持するカード２０−１から認証情報を読み取る。そして、認証情報書込装置１０は、読み取った認証情報を、書き込み用アンテナ１３を介して被承認者４０が保持するカード２０−２に書き込む。
【００２５】
次に、認証情報書込装置１０の構成について説明する。図２は、本実施形態における認証情報書込装置１０の構成を示した機能ブロック図である。図示する例では、認証情報書込装置１０は、制御部１１と、読み取り用アンテナ１２と、書き込み用アンテナ１３と、入力部１４とを備える。
【００２６】
制御部１１は、認証情報書込装置１０が備える各部の制御を行う。読み取り用アンテナ１２は、カード２０−１を保持した承認者３０の表面に電界を誘起し、当該電界を用いてカード２０−１と通信を行う。書き込み用アンテナ１３は、カード２０−２を保持した被承認者４０の表面に電界を誘起し、当該電界を用いてカード２０−２と通信を行う。入力部１４はスイッチ１４０を備え、スイッチ１４０の押下による入力を受け付ける。
【００２７】
次に、カード２０−１，２０−２の構成について説明する。図３は、本実施形態におけるカード２０−１，２０−２の構成を示した機能ブロック図である。図示する例では、カード２０−１，２０−２は、カード制御部２１と、カード通信部２２（デバイス通信部）と、カード記憶部２３（デバイス記憶部）とを備える。
【００２８】
カード制御部２１は、カード２０−１，２０−２が備える各部の制御を行う。カード通信部２２は、カード２０−１，２０−２を保持した承認者３０または被承認者４０の表面に誘起した電界を用いて、認証情報書込装置１０と通信を行う。カード記憶部２３は、カード２０−１，２０−２を保持する承認者３０または被承認者４０に付与された認証情報を記憶する。
【００２９】
次に、認証情報書込装置１０の動作について説明する。図４は、本実施形態における認証情報書込装置１０の動作手順を示したフローチャートである。以下の動作手順は、認証情報を記憶するカード２０−１を保持した承認者３０が、認証情報書込装置１０の読み取り用アンテナ１２を保持し、認証情報書込装置１０の入力部１４が備えるスイッチ１４０を押下しつつ、書き込み用アンテナ１３を被承認者４０に接触させた際における、認証情報書込装置１０の動作手順である。
【００３０】
（ステップＳ１０１）制御部１１は、入力部１４が備えるスイッチ１４０が押下されたか否かを判定する。制御部１１は、入力部１４が備えるスイッチ１４０が押下されたと判定した場合にはステップＳ１０２の処理に進み、それ以外の場合にはステップＳ１０１の処理を再度実行する。
【００３１】
（ステップＳ１０２）制御部１１は、読み取り用アンテナ１２とカード２０−１とが通信（情報の送受信）を開始したか否かを判定する。制御部１１は、読み取り用アンテナ１２とカード２０−１とが通信を開始したと判定した場合にはステップＳ１０３の処理に進み、それ以外の場合にはステップＳ１０２の処理を再度実行する。
【００３２】
（ステップＳ１０３）読み取り用アンテナ１２は、承認者３０の表面に発生する電界を介して、カード２０−１のカード記憶部２３が記憶する認証情報を読み取る。その後、ステップＳ１０４の処理に進む。
【００３３】
（ステップＳ１０４）制御部１１は、ステップＳ１０３で読み取り用アンテナ１２が認証情報を読み取ったか否かを判定する。制御部１１は、ステップＳ１０３で読み取り用アンテナ１２が認証情報を読み取ったと判定した場合にはステップＳ１０５の処理に進み、それ以外の場合には処理を終了する。
【００３４】
（ステップＳ１０５）制御部１１は、書き込み用アンテナ１３とカード２０−２とが通信を開始したか否かを判定する。制御部１１は、書き込み用アンテナ１３とカード２０−２とが通信を開始したと判定した場合にはステップＳ１０６の処理に進み、それ以外の場合にはステップＳ１０５の処理を再度実行する。
【００３５】
（ステップＳ１０６）書き込み用アンテナ１３は、被承認者４０の表面に発生する電界を介して、カード２０−２のカード記憶部２３に、ステップＳ１０３で読み取った認証情報を書き込む。その後、処理を終了する。なお、認証情報をカード２０−２のカード記憶部２３に書き込む際に、承認者３０を示す情報（例えば、承認者３０の名前や、承認者３０を一意に特定することができるＩＤなど）や、承認日時（例えば、認証情報を書き込んだ日時）などの情報を書き込んでも良い。また、承認者３０を示す情報は、承認者３０が保持するカード２０−１のカード記憶部２３が記憶しており、読み取り用アンテナ１２が認証情報を読み取る際に承認者を示す情報を読み取り、この情報をカード２０−２のカード記憶部２３に書き込むようにしても良い。
【００３６】
上述したとおり、認証情報を記憶するカード２０−１を保持した承認者３０が、認証情報書込装置１０の読み取り用アンテナ１２を保持し、認証情報書込装置１０の入力部１４が備えるスイッチ１４０を押下しつつ、書き込み用アンテナ１３を被承認者４０に接触させた場合、認証情報書込装置１０は、承認者３０が保持するカード２０−１から認証情報を読み取り、この情報を被承認者４０が保持するカード２０−２に書き込む。
【００３７】
よって、承認者３０は、認証情報書込装置１０の読み取り用アンテナ１２を保持し、入力部１４が備えるスイッチ１４０を押下しつつ、書き込み用アンテナ１３を被承認者４０に接触させるだけで、被承認者４０が保持するカード２０−２に認証情報を書き込ませることができる。すなわち、承認者３０は、被承認者４０に対して即時に認証情報を与えることができる。
【００３８】
次に、本実施形態におけるセキュリティシステムについて説明する。図５は、本実施形態におけるセキュリティシステムの概略を示した概略図である。
【００３９】
図示する例では、セキュリティシステム５０は、ドア６０に設置されている。セキュリティシステム５０は、セキュリティシステム制御部５１とアンテナ５２とを備える。セキュリティシステム制御部５１は、セキュリティシステム５０が備える各部の制御を行う。また、セキュリティシステム制御部５１は、アンテナ５２が読み取った認証情報に基づいて、ドア６０の鍵の解除を制御する。アンテナ５２は、被承認者４０がアンテナ５２に乗ることで被承認者４０の表面に発生する電界を介して、カード２０−２とデータの送受信を行う。
【００４０】
被認証者４０がアンテナ５２に乗ると、アンテナ５２は認証情報を読み取る。セキュリティシステム制御部５１は、アンテナ５２が読み取った認証情報が承認者３０によって付与された認証情報であるか否か判定する。そして、セキュリティシステム制御部５１は、アンテナ５２が読み取った認証情報が承認者３０によって付与された認証情報であると判定した場合には、ドア６０の鍵を解除する。
【００４１】
これにより、承認者３０に認証情報を付与された被承認者４０は、ドア６０を開けることができる。
【００４２】
（第２の実施形態）
次に、本発明の第２の実施形態について説明する。本実施形態と第１の実施形態とで異なる点は、本実施形態では認証情報の認証レベルが複数種類に分かれている点である。
【００４３】
図６は、本実施形態における電界通信システムの構成を示した概略図である。図示する例では、電界通信システムは、認証情報書込装置１０と、カード２０−１，２０−２とを含んでいる。
【００４４】
カード２０−１は、認証レベルが異なる複数種類の認証情報を記憶している。本実施形態では、カード２０−１は、「認証レベル高」の認証情報と、「認証レベル中」の認証情報と、「認証レベル低」の認証情報とを記憶している。また、カード２０−１は、承認者３０に保持されている。また、カード２０−２は、被承認者４０に保持されている。
【００４５】
「認証レベル高」の認証情報が付与されている被承認者４０は、セキュリティシステムが管理する全ての領域に入ることができる。また、「認証レベル中」の認証情報が付与されている被承認者４０は、セキュリティシステムが管理する領域のうち、一部の領域にのみ入ることができる。また、「認証レベル低」の認証情報が付与されている被承認者４０は、「認証レベル中」の認証情報が付与されている被認証者４０が入ることができる領域のうち、一部の領域にのみ入ることができる。
【００４６】
認証情報書込装置１０は、読み取り用アンテナ１２と、書き込み用アンテナ１３と、入力部１４とを備えている。読み取り用アンテナ１２は、電界伝達媒体である承認者３０の表面に電界を誘起し、当該電界を用いてカード２０−１と通信を行う。書き込み用アンテナ１３は、電界伝達媒体である被承認者４０の表面に電界を誘起し、当該電界を用いてカード２０−２と通信を行う。入力部１４は複数個のスイッチ１４１〜１４３を備え、スイッチ１４１〜１４３の押下による入力を受け付ける。本実施形態では、入力部１４は「認証レベル高」スイッチ１４１と、「認証レベル中」スイッチ１４２と、「認証レベル低」スイッチ１４３とを備える。
【００４７】
承認者３０は、被承認者４０に認証情報を与える場合、認証情報書込装置１０の読み取り用アンテナ１２を保持する。そして、承認者３０は、認証情報書込装置１０の入力部１４が備えるスイッチ１４１〜１４３のうち、被認証者４０に付与するレベルに応じたスイッチ１４１〜１４３を押下しつつ、書き込み用アンテナ１３を被承認者４０に接触させる。
【００４８】
具体的には、承認者３０は、被承認者４０に「認証レベル高」の認証情報を付与する場合、「認証レベル高」スイッチ１４１を押下しつつ、書き込み用アンテナ１３を被承認者４０に接触させる。その他の認証レベルの認証情報を付与する場合も、承認者３０は同様の動作を行う。
【００４９】
この動作により、認証情報書込装置１０は、読み取り用アンテナ１２を介して承認者３０が保持するカード２０−１から、押下されたスイッチ１４１〜１４３で指定される認証情報を読み取る。そして、認証情報書込装置１０は、読み取った認証情報を、書き込み用アンテナ１３を介して被承認者４０が保持するカード２０−２に書き込む。
【００５０】
次に、認証情報書込装置１０の構成について説明する。本実施形態における認証情報書込装置１０の構成と、第１の実施形態における認証情報書込装置１０の構成とで異なる点は、入力部１４が備えるスイッチ１４１〜１４３のみである。その他の構成は、第１の実施形態における認証情報書込装置１０の構成と同様の構成である。
【００５１】
次に、カード２０−１，２０−２の構成について説明する。本実施形態におけるカード２０−１，２０−２の構成と、第１の実施形態におけるカード２０−１，２０−２の構成とは同様の構成である。但し、本実施形態におけるカード２０−１のカード記憶部２３は、認証レベルが異なる複数種類の認証情報を記憶している。
【００５２】
次に、認証情報書込装置１０の動作について説明する。図７は、本実施形態における認証情報書込装置１０の動作手順を示したフローチャートである。以下の動作手順は、認証情報を記憶するカード２０−１を保持した承認者３０が、認証情報書込装置１０の読み取り用アンテナ１２を保持し、認証情報書込装置１０の入力部１４が備えるスイッチ１４１〜１４３のいずれかを押下しつつ、書き込み用アンテナ１３を被承認者４０に接触させた際における、認証情報書込装置１０の動作手順である。
【００５３】
（ステップＳ２０１）制御部１１は、入力部１４が備える「認証レベル高」スイッチ１４１が押下されたか否かを判定する。制御部１１は、入力部１４が備える「認証レベル高」スイッチ１４１が押下されたと判定した場合にはステップＳ２０２の処理に進み、それ以外の場合にはステップＳ２０４の処理に進む。
【００５４】
（ステップＳ２０２）制御部１１は、読み取り用アンテナ１２とカード２０−１とが通信を開始したか否かを判定する。制御部１１は、読み取り用アンテナ１２とカード２０−１とが通信を開始したと判定した場合にはステップＳ２０３の処理に進み、それ以外の場合にはステップＳ２０２の処理を再度実行する。
【００５５】
（ステップＳ２０３）読み取り用アンテナ１２は、承認者３０の表面に発生する電界を介して、カード２０−１のカード記憶部２３が記憶する「認証レベル高」の認証情報を読み取る。その後、ステップＳ２１０の処理に進む。
【００５６】
（ステップＳ２０４）制御部１１は、入力部１４が備える「認証レベル中」スイッチ１４２が押下されたか否かを判定する。制御部１１は、入力部１４が備える「認証レベル中」スイッチ１４２が押下されたと判定した場合にはステップＳ２０５の処理に進み、それ以外の場合にはステップＳ２０７の処理に進む。
【００５７】
（ステップＳ２０５）制御部１１は、読み取り用アンテナ１２とカード２０−１とが通信を開始したか否かを判定する。制御部１１は、読み取り用アンテナ１２とカード２０−１とが通信を開始したと判定した場合にはステップＳ２０６の処理に進み、それ以外の場合にはステップＳ２０５の処理を再度実行する。
【００５８】
（ステップＳ２０６）読み取り用アンテナ１２は、承認者３０の表面に発生する電界を介して、カード２０−１のカード記憶部２３が記憶する「認証レベル中」の認証情報を読み取る。その後、ステップＳ２１０の処理に進む。
【００５９】
（ステップＳ２０７）制御部１１は、入力部１４が備える「認証レベル低」スイッチ１４３が押下されたか否かを判定する。制御部１１は、入力部１４が備える「認証レベル低」スイッチ１４３が押下されたと判定した場合にはステップＳ２０８の処理に進み、それ以外の場合にはステップＳ２０１の処理に戻る。
【００６０】
（ステップＳ２０８）制御部１１は、読み取り用アンテナ１２とカード２０−１とが通信を開始したか否かを判定する。制御部１１は、読み取り用アンテナ１２とカード２０−１とが通信を開始したと判定した場合にはステップＳ２０９の処理に進み、それ以外の場合にはステップＳ２０８の処理を再度実行する。
【００６１】
（ステップＳ２０９）読み取り用アンテナ１２は、承認者３０の表面に発生する電界を介して、カード２０−１のカード記憶部２３が記憶する「認証レベル低」の認証情報を読み取る。その後、ステップＳ２１０の処理に進む。
【００６２】
（ステップＳ２１０）制御部１１は、ステップＳ２０３またはステップＳ２０６またはステップＳ２０９で読み取り用アンテナ１２が認証情報を読み取ったか否かを判定する。制御部１１は、ステップＳ２０３またはステップＳ２０６またはステップＳ２０９で読み取り用アンテナ１２が認証情報を読み取ったと判定した場合にはステップＳ２１１の処理に進み、それ以外の場合には処理を終了する。
【００６３】
（ステップＳ２１１）制御部１１は、書き込み用アンテナ１３とカード２０−２とが通信を開始したか否かを判定する。制御部１１は、書き込み用アンテナ１３とカード２０−２とが通信を開始したと判定した場合にはステップＳ２１２の処理に進み、それ以外の場合にはステップＳ２１１の処理を再度実行する。
【００６４】
（ステップＳ２１２）書き込み用アンテナ１３は、被承認者４０の表面に発生する電界を介して、カード２０−２のカード記憶部２３に、ステップＳ２０３またはステップＳ２０６またはステップＳ２０９で読み取った認証情報を書き込む。その後、処理を終了する。
【００６５】
上述したとおり、認証情報を記憶するカード２０−１を保持した承認者３０が、認証情報書込装置１０の読み取り用アンテナ１２を保持し、認証情報書込装置１０の入力部１４が備えるスイッチ１４１〜１４３のいずれかを押下しつつ、書き込み用アンテナ１３を被承認者４０に接触させた場合、認証情報書込装置１０は、承認者３０が保持するカード２０−１から、押下されたスイッチ１４１〜１４３に応じた認証情報を読み取り、この情報を被承認者４０が保持するカード２０−２に書き込む。
【００６６】
よって、承認者３０は、スイッチ１４１〜１４３の選択により、被承認者４０に付与する認証レベルを容易に選択することができる。
【００６７】
以上、図面を参照して本発明の実施形態について詳しく説明してきたが、具体的な構成は上述のものに限られることはなく、この発明の要旨を逸脱しない範囲内において様々な設計変更等をすることが可能である。例えば、第２の実施形態では、認証レベルが３段階に分かれている例に基づいて説明したがこれに限らず、認証レベルが３段階以外の複数段階に分かれていてもよい。
【００６８】
また、第１の実施形態および第２の実施形態では、電界通信機能が搭載されたデバイスとして電界通信機能が搭載されたカードを例として説明したが、これに限らない。例えば、電界通信機能が搭載されたデバイスとして、電界通信機能が搭載された携帯電話などを用いてもよい。
【符号の説明】
【００６９】
１０・・・認証情報書込装置、１１・・・制御部、１２・・・読み取り用アンテナ、１３・・・書き込み用アンテナ、１４・・・入力部、２０−１，２０−２・・・カード、２１・・・カード制御部、２２・・・カード通信部、２３・・・カード記憶部、３０・・・承認者、４０・・・被承認者、５０・・・セキュリティシステム、５１・・・セキュリティシステム制御部、５２・・・アンテナ、６０・・・ドア、１４０〜１４３・・・スイッチ
【図１】
2011090641.tif 000003
【図２】
2011090641.tif 000004
【図３】
2011090641.tif 000005
【図４】
2011090641.tif 000006
【図５】
2011090641.tif 000007
【図６】
2011090641.tif 000008
【図７】
2011090641.tif 000009